【手続補正書】
【提出日】平成19年10月9日(2007.10.9)
【手続補正１】
【補正対象書類名】明細書
【補正対象項目名】特許請求の範囲
【補正方法】変更
【補正の内容】
【特許請求の範囲】
【請求項１】  光源手段と、偏向手段と、前記光源手段から射出され、前記偏向手段の偏向面により偏向された光束を被走査面上に結像させ、かつ、少なくとも１つの光学面上に微細構造格子を備えた走査光学手段と、を有する走査光学系において、
前記微細構造格子は、三角柱の格子を一次元方向に配列した三角格子を有し、
前記三角格子の格子高さをｈ、前記三角格子の格子ピッチをＰ、前記光源手段から射出された光束の波長をλとするとき、
０．２３λ≦ｈ
０．５２＜ｈ／Ｐ
なる条件を満たすことを特徴とする走査光学系。
【請求項２】  前記微細構造格子に入射する光束がほぼＰ偏光であることを特徴とする請求項１に記載の走査光学系。
【請求項３】  前記微細構造格子に入射する光束がほぼＳ偏光であるとき、
０．３５λ≦ｈ
０．８０＜ｈ／Ｐ
なる条件を満たすことを特徴とする請求項１に記載の走査光学系。
【請求項４】  光源手段と、偏向手段と、前記光源手段から射出され、前記偏向手段の偏向面により偏向された光束を被走査面上に結像させ、かつ、少なくとも１つの光学面上に微細構造格子を備えた走査光学手段と、を有する走査光学系において、
前記微細構造格子は、三角柱の格子を一次元方向に配列した三角格子を有し、
前記三角格子の格子高さをｈ、前記三角格子の格子ピッチをＰ、前記光源手段から射出された複数の光束の波長のうち最短波長をλminとするとき、
０．２３λmin≦ｈ
０．５２＜ｈ／Ｐ
なる条件を満たすことを特徴とする走査光学系。
【請求項５】  前記微細構造格子に入射する光束がほぼＰ偏光であることを特徴とする請求項４に記載の走査光学系。
【請求項６】  前記微細構造格子に入射する光束がほぼＳ偏光であるとき、
０．３５λmin≦ｈ
０．８０＜ｈ／Ｐ
なる条件を満たすことを特徴とする請求項４に記載の走査光学系。
【請求項７】  前記光源手段は、異なる偏光方向の複数の光束を射出する複数の光源部を有し、前記光源手段と前記偏向手段との間に前記異なる偏光方向の複数の光束の光路を合成するビーム合成手段を有し、
０．３５λmin≦ｈ
０．８０  ＜ｈ／Ｐ
なる条件を満たすことを特徴とする請求項４に記載の走査光学系。
【請求項８】  請求項１乃至７の何れか１項に記載の走査光学系と、前記被走査面に配置された感光体と、前記走査光学系で走査された光束によって前記感光体に形成された静電潜像をトナー像として現像する現像器と、現像されたトナー像を被転写材に転写する転写器と、転写されたトナー像を被転写材に定着させる定着器とを有することを特徴とする画像形成装置。
【請求項９】  請求項１乃至７の何れか１項に記載の走査光学系と、外部機器から入力したコードデータを画像信号に変換して前記走査光学系に入力せしめるプリンタコントローラとを有していることを特徴とする画像形成装置。
【手続補正２】
【補正対象書類名】明細書
【補正対象項目名】００２０
【補正方法】変更
【補正の内容】
【００２０】
【課題を解決するための手段】
請求項１の発明の走査光学系は、光源手段と、偏向手段と、前記光源手段から射出され、前記偏向手段の偏向面により偏向された光束を被走査面上に結像させ、かつ、少なくとも１つの光学面上に微細構造格子を備えた走査光学手段と、を有する走査光学系において、
前記微細構造格子は、三角柱の格子を一次元方向に配列した三角格子を有し、
前記三角格子の格子高さをｈ、前記三角格子の格子ピッチをＰ、前記光源手段から射出された光束の波長をλとするとき、
０．２３λ≦ｈ
０．５２＜ｈ／Ｐ
なる条件を満たすことを特徴としている。
【手続補正３】
【補正対象書類名】明細書
【補正対象項目名】００２１
【補正方法】変更
【補正の内容】
【００２１】
請求項２の発明は請求項１の発明において、
前記微細構造格子に入射する光束がほぼＰ偏光であることを特徴としている。
【手続補正４】
【補正対象書類名】明細書
【補正対象項目名】００２２
【補正方法】変更
【補正の内容】
【００２２】
請求項３の発明は請求項１の発明において、
前記微細構造格子に入射する光束がほぼＳ偏光であるとき、
０．３５λ≦ｈ
０．８０＜ｈ／Ｐ
なる条件を満たすことを特徴としている。
【手続補正５】
【補正対象書類名】明細書
【補正対象項目名】００２３
【補正方法】変更
【補正の内容】
【００２３】
請求項４の発明の走査光学系は、
光源手段と、偏向手段と、前記光源手段から射出され、前記偏向手段の偏向面により偏向された光束を被走査面上に結像させ、かつ、少なくとも１つの光学面上に微細構造格子を備えた走査光学手段と、を有する走査光学系において、
前記微細構造格子は、三角柱の格子を一次元方向に配列した三角格子を有し、
前記三角格子の格子高さをｈ、前記三角格子の格子ピッチをＰ、前記光源手段から射出された複数の光束の波長のうち最短波長をλminとするとき、
０．２３λmin≦ｈ
０．５２＜ｈ／Ｐ
なる条件を満たすことを特徴としている。
【手続補正６】
【補正対象書類名】明細書
【補正対象項目名】００２４
【補正方法】変更
【補正の内容】
【００２４】
請求項５の発明は請求項４の発明において、
前記微細構造格子に入射する光束がほぼＰ偏光であることを特徴としている。
【手続補正７】
【補正対象書類名】明細書
【補正対象項目名】００２５
【補正方法】変更
【補正の内容】
【００２５】
請求項６の発明は請求項４の発明において、
前記微細構造格子に入射する光束がほぼＳ偏光であるとき、
０．３５λmin≦ｈ
０．８０＜ｈ／Ｐ
なる条件を満たすことを特徴としている。
【手続補正８】
【補正対象書類名】明細書
【補正対象項目名】００２６
【補正方法】変更
【補正の内容】
【００２６】
請求項７の発明は請求項４の発明において、
前記光源手段は、異なる偏光方向の複数の光束を射出する複数の光源部を有し、前記光源手段と前記偏向手段との間に前記異なる偏光方向の複数の光束の光路を合成するビーム合成手段を有し、
０．３５λmin≦ｈ
０．８０  ＜ｈ／Ｐ
なる条件を満たすことを特徴としている。
【手続補正９】
【補正対象書類名】明細書
【補正対象項目名】００２７
【補正方法】変更
【補正の内容】
【００２７】
請求項８の発明の画像形成装置は、
請求項１乃至７の何れか１項に記載の走査光学系と、前記被走査面に配置された感光体と、前記走査光学系で走査された光束によって前記感光体に形成された静電潜像をトナー像として現像する現像器と、現像されたトナー像を被転写材に転写する転写器と、転写されたトナー像を被転写材に定着させる定着器とを有することを特徴としている。
【手続補正１０】
【補正対象書類名】明細書
【補正対象項目名】００２８
【補正方法】変更
【補正の内容】
【００２８】
請求項９の発明の画像形成装置は、
請求項１乃至７の何れか１項に記載の走査光学系と、外部機器から入力したコードデータを画像信号に変換して前記走査光学系に入力せしめるプリンタコントローラとを有していることを特徴としている。
【手続補正１１】
【補正対象書類名】明細書
【補正対象項目名】００２９
【補正方法】削除
【補正の内容】
【手続補正１２】
【補正対象書類名】明細書
【補正対象項目名】００３０
【補正方法】削除
【補正の内容】
【手続補正１３】
【補正対象書類名】明細書
【補正対象項目名】００８７
【補正方法】変更
【補正の内容】
【００８７】
本実施形態において前述の実施形態１と異なる点は光源手段１を少なくとも異なる偏光光束（偏光方向の光束）を射出する２つの光源部１ａ，１ｂより構成したこと、光源手段１と偏向手段５との間に異なる偏光光束の光路を合成するビーム合成手段７を設けたこと、またそれに伴い微細構造格子８に関する条件式（５），（６）を設定したことである。その他の構成及び光学的作用は実施形態１と略同様であり、これにより同様な効果を得ている。